(57)【要約】【課題】車自体の日除けすることによって真夏日などに車が異常高温になる問題を解決することや、必要により車の屋根上に人が乗れるようにすると同時に日除けし、有害な太陽紫外線や熱を回避して、車の屋根上で昼寝や観戦などに快適に楽しめるようにすることや地上も同時に日除け可能にすることを課題としている。【解決手段】必要により車の屋根上に人が乗ることを可能にすると同時に、その上部も日除け可能にすることや、場合によって同時に地上も日除け可能にする手段を採用した。【選択図】図５
2010248788.tif 000002
【特許請求の範囲】
【請求項１】
車の屋根部上部に人が乗ることが可能な強度を有するキャリア装置２の上方に日除けを設け、使用者がキャリア装置２の上に乗り、日除けの下で紫外線や熱や雨を回避して昼寝や展望やスポーツ観戦などの娯楽を楽しむことを可能にしたことを特徴とする車用日除装置。
【請求項２】
車の屋根部上部に人が乗れる強度を有するキャリア装置２の上方から見て四角形などの端部付近の少なくとも四箇所に垂直方向に向けた管状の棒受３がキャリア装置２に固定されていて、当該棒受３のそれぞれに支柱棒４を差し込んで上方に立ち上がり、当該支柱棒４の上端に日除シート６を固定することを特徴とする請求項1記載の車用日除装置。
【請求項３】
車の屋根部上部のキャリア装置２に、長い日除シート６の中間付近の所定位置を固定すると同時に、当該日除シート６を車の左右両方向に伸ばして、地上に立てた柱９の先端部に日除シート６の端部付近を固定して敷設することによって、車と地上を同時に日除け可能にすることを特徴とする車用日除装置。
【請求項４】
車の一方の側面に、日除シート６を回転方向に付勢して収納した細長いシート収納容器１２が取り付けられ、使用する際に当該シート収納容器１２から日除シート６を引き出してから、当該日除シート６を車上方向側に伸ばしてキャリア装置２に固定し、更に地上に立てた柱９に固定して敷設することによって車と地上を同時に日除け可能にすることを特徴とする車用日除装置。
【発明の詳細な説明】
【技術分野】
【０００１】
本発明は、車に取り付ける日除け装置に関するものであり、詳しくは、車に取り付けて車自体と使用者の両方を日除けすることを可能にする装置に関するものである。
【背景技術】
【０００２】
自動車などの車用の日除け装置については、特許や実用新案で古くから多数提案されており、また市販されているが、その殆どは、例えば特許文献１に提案されている図１に示すような、自動車に取り付けて補強し、長方形の防水布などのシート状の日除け本体を地面上に簡単に敷設できるようにした構成であるが、この日除け装置は、車の横方向に取り付けて、使用者が地面上で日除けの下に入って健康を害する紫外線や熱を避けてテーブルや椅子などを置くなどして涼みながら食事や団欒や昼寝や読書や休息などを楽しんだり、或いは雨やどりすることを主目的に使用されているが、真夏日においては、すぐ横にある車や車内が異常高温になり、車に保管してあるものが変質したり、車の中に入れないなど多くの不都合が有った。
【先行技術文献】
【特許文献】
【０００３】
【特許文献１】特開平８−２７７６５９号公報
【発明の概要】
【発明が解決しようとする課題】
【０００４】
本発明においては、車自体と使用者の日除けすることによって車が異常高温になる問題を解決することや、必要により車の屋根上にも人が乗れるようにすると同時に、その上を日除け可能にし、車の屋根上で昼寝や休息や展望やスポーツ観戦などを快適に楽しめるようにすることを課題としている。
【課題を解決するための手段】
【０００５】
本発明においては、車と使用者の上に日除けを設けると同時に、必要により車の屋根上に人が乗ることを可能にして、昼寝や休息や展望やスポーツ観戦などを快適に楽しめるようにする手段を採用した。
【発明の効果】
【０００６】
本発明の手段を採用することによって、車自体を日除けしたことから車が異常高温になる問題が著しく改善でき、また地面上は勿論,必要により車上に人が乗れるようにし、その上も日除けすることによって車の屋根上でも、日陰の中で昼寝や読書や展望やスポーツ観戦などを極めて快適に楽しむことが可能となるなどの効果を奏する。
【図面の簡単な説明】
【０００７】
【図１】従来法に係る車の横方向に日除けを設ける構成の斜視図である。
【図２】本発明に係る一実施例の車の前方から見た日除け使用時の概略正面図である。
【図３】本発明に係る図２のA部の拡大断面図である。
【図４】本発明に係る車上と地上に日除けを設ける場合の概略正面図である。
【図５】本発明に係る車上と地上に日除けを設ける場合の概略正面図である。
【発明を実施するための形態】
【０００８】
図２は、本発明に係る一実施例を示す車の前方から見た日除け使用時の概略正面図であるが、車１の屋根部上部に人が乗ることを可能にする強度を有する低いフェンスを設けた上面が平坦なキャリア装置２が車の屋根部に強固に結合固定され、当該キャリア装置２の上方から見て四角形の角部付近と必要によりその中間付近の側面に垂直方向に向けた管状の棒受３が螺子止めなどで当該キャリア装置２に強固に固定されていて、当該棒受３に支柱棒４が差し込まれて垂直に立ち上がり、支柱棒４の上端部には細い突起部5が付設されており、当該突起部5の位置に合わせた孔部を有する長方形の光と雨の不透過性のテント用などの防水布を使用した日除シート６を嵌めて固定してから、余った日除シート６を直角に折り曲げて、支柱棒４の中間付近で紐７で縛るなどで固定して日除装置を敷設する形態にすることによって、使用者がキャリア装置２の上に乗り、日除シート６の下に座ったり寝転んで昼寝や展望やスポーツ観戦などを紫外線や熱を回避して涼みながら快適に楽しむことができる。またキャリア装置２の棒受３の中にビーチパラソルのような大きな傘状のものを差し込んで日除けとして使用する簡易な方法も本発明の範囲内にあり、また車の屋根部に別体のキャリア装置を固定する方法例を前記したが、車の屋根部自体に強度を持たせ人が乗れるようにした一体型のキャリア装置などを敷設された構成も本発明の範囲内にあり、また当然のことながら本発明のキャリア装置については、日除けとして使用する場合以外の時は、本来の機能である荷物の運搬用などとしても兼用可能である。
【０００９】
更に詳しく説明すると、図３は図２のＡ部の部分断面図であるが、ステンレス鋼などで作った管状で底のある棒受３の下部には雨水の排出用の孔部８が設けられ、当該棒受３の内径より僅かに小さい径を有する繊維強化樹脂や天然木や金属などで作った支柱棒４が摺動収納できる構成となっているが、本発明は、この構成に限定されるものではなく、例えば棒受３と支柱棒４との嵌合にネジやアンダーカットなどの嵌合にして、日除シート６が風で煽られてシートが外れて飛び出すのを防止する方が望ましい。
【００１０】
図４は、本発明における他の実施例を示す車の前方から見た日除け使用時の概略正面図であるが、車１の上部の構成については図２と同様であるが、長方形の長い日除シート６を車の左右方向に伸ばしてから、地上の所定位置付近に立てた柱９の先端に固定し、綱１０を柱の先端に縛って引っ張りながらぺフ１１などで地面に固定する方法を採用することによって、車自体の日除けも充分に実施することができると同時に、地上と車上の極めて広い面積を利用可能になることから、大人数のリクリエーションなどで快適な時間を楽しむことができる。
【００１１】
図５は、本発明における他の実施例を示す車の前方から見た日除け使用時の概略正面図であるが、キャリア装置２のある車の側面に日除シート６を回転方向に付勢して収納した細長いシート収納容器１２が取り付けられており、使用する際には、シート収納容器１２から当該日除シート６を引き出してから車上方向に伸ばして延長し、支柱棒４と柱９の先端に固定して敷設することによって車上と車の一方側面の地面上を日除け可能にする構成例であるが、保管の邪魔になる日除シート６を所定場所にコンパクトに収納できることや、手間取る敷設を簡易にできるなどの効果があり、使い勝手の格段の向上を図ることができる。
【符号の説明】
【００１２】
１  車                                ２  キャリア装置
３  棒受                              ４  支柱棒
５  突起部                            ６  日除シート
７  紐                                ８  孔部
９  柱                                10  綱
11  ぺフ                              12 シート収納容器
【図１】
2010248788.tif 000003
【図２】
2010248788.tif 000004
【図３】
2010248788.tif 000005
【図４】
2010248788.tif 000006
【図５】
2010248788.tif 000007